(57)【要約】【課題】可撓性や耐屈曲性を維持しながらも電磁遮蔽性能と磁気遮蔽性能とを発揮することが可能なシールドケーブルを提供する。【解決手段】信号線１０１と、信号線１０１の周囲に設けられている編組シールド１０２と、編組シールド１０２の周囲に巻き付けられているシールドテープ１０３と、シールドテープ１０３の周囲に設けられているジャケット１０４と、を備えており、シールドテープ１０３は、テープ基材２０１と、テープ基材２０１の外面に設けられていると共に磁性体粉と熱溶融型接着剤とを含む磁性樹脂組成物で形成されている磁性熱溶融型接着層２０２と、テープ基材２０１の内面に設けられていると共に導電性金属で形成されている導電性金属層２０３と、を有しており、磁性熱溶融型接着層２０２がジャケット１０４と密着していると共に導電性金属層２０３が編組シールド１０２と接触しているシールドケーブル１００である。【選択図】図１
2016192365.tif 000002
【特許請求の範囲】
【請求項１】
少なくとも一本の信号線と、
前記信号線の周囲に設けられている編組シールドと、
前記編組シールドの周囲に巻き付けられているシールドテープと、
前記シールドテープの周囲に設けられているジャケットと、
を備えており、
前記シールドテープは、テープ基材と、前記テープ基材の外面に設けられていると共に磁性体粉と熱溶融型接着剤とを含む磁性樹脂組成物で形成されている磁性熱溶融型接着層と、前記テープ基材の内面に設けられていると共に導電性金属で形成されている導電性金属層と、を有しており、前記磁性熱溶融型接着層が前記ジャケットと密着していると共に前記導電性金属層が前記編組シールドと接触していることを特徴とするシールドケーブル。
【請求項２】
前記ジャケットは、充実押出被覆されて形成されており、
前記磁性熱溶融型接着層は、押出熱で前記ジャケットと融着されている請求項１に記載のシールドケーブル。
【請求項３】
前記磁性体粉は、ファインメット（登録商標）で形成されており、
前記熱溶融型接着剤は、オレフィン系樹脂で形成されている請求項１又は２に記載のシールドケーブル。
【発明の詳細な説明】
【技術分野】
【０００１】
本発明は、外来雑音の発生原因となる外部磁界と外部電磁波の両方の影響を軽減することができるシールドケーブルに関する。
【背景技術】
【０００２】
従来、シールドケーブルにおいては、信号線の周囲に複数本のシールド素線で構成されている編組シールドを設けることにより、外来雑音の発生原因となる外部電磁波の影響を軽減している。
【０００３】
ところが、外部電磁波の発生源である電子機器等における信号伝送速度の高速化に伴い、シールド素線間に存在している隙間を通じて高周波帯域の外部電磁波が信号線に到達する虞がある。
【０００４】
そのため、シールドテープを更に巻き付けてシールド素線間に存在している隙間を閉塞させることにより、シールド素線間に存在している隙間を通じて高周波帯域の外部電磁波が信号線に到達することを防止している。
【０００５】
また、編組シールドだけでは、外来雑音の発生原因となる外部磁界の影響を軽減することはできないため、別途、シールドケーブルの端末部等にフェライトコアを装着している（例えば、特許文献１を参照）。
【先行技術文献】
【特許文献】
【０００６】
【特許文献１】実用新案登録第３１７２３４３号公報
【発明の概要】
【発明が解決しようとする課題】
【０００７】
しかしながら、フェライトコアは柔軟性が皆無であることから、シールドケーブルの端末部等にフェライトコアを装着することにより、シールドケーブルの端末部等における可撓性や耐屈曲性が損なわれるため、例えば、フェライトコアの根元でシールドケーブルの屈曲等に伴う応力集中が起きてシールドケーブルが断線し易くなる。
【０００８】
そこで、本発明の目的は、可撓性や耐屈曲性を維持しながらも電磁遮蔽性能と磁気遮蔽性能とを発揮することが可能なシールドケーブルを提供することにある。
【課題を解決するための手段】
【０００９】
この目的を達成するために創案された本発明は、少なくとも一本の信号線と、前記信号線の周囲に設けられている編組シールドと、前記編組シールドの周囲に巻き付けられているシールドテープと、前記シールドテープの周囲に設けられているジャケットと、を備えており、前記シールドテープは、テープ基材と、前記テープ基材の外面に設けられていると共に磁性体粉と熱溶融型接着剤とを含む磁性樹脂組成物で形成されている磁性熱溶融型接着層と、前記テープ基材の内面に設けられていると共に導電性金属で形成されている導電性金属層と、を有しており、前記磁性熱溶融型接着層が前記ジャケットと密着していると共に前記導電性金属層が前記編組シールドと接触しているシールドケーブルである。
【００１０】
前記ジャケットは、充実押出被覆されて形成されており、前記磁性熱溶融型接着層は、押出熱で前記ジャケットと融着されていることが好ましい。
【００１１】
前記磁性体粉は、ファインメット（登録商標）で形成されており、前記熱溶融型接着剤は、オレフィン系樹脂で形成されていることが好ましい。
【発明の効果】
【００１２】
本発明によれば、可撓性や耐屈曲性を維持しながらも電磁遮蔽性能と磁気遮蔽性能とを発揮することが可能なシールドケーブルを提供することができる。
【図面の簡単な説明】
【００１３】
【図１】本発明の実施の形態に係るシールドケーブルを示す断面図である。
【図２】図１におけるシールドテープを示す断面図である。
【発明を実施するための形態】
【００１４】
以下、本発明の好適な実施の形態を添付図面に順って説明する。
【００１５】
図１に示す通り、本発明の好適な実施の形態に係るシールドケーブル１００は、少なくとも一本の信号線１０１と、信号線１０１の周囲に設けられている編組シールド１０２と、編組シールド１０２の周囲に巻き付けられているシールドテープ１０３と、シールドテープ１０３の周囲に設けられているジャケット１０４と、を備えている。
【００１６】
信号線１０１は、例えば、同軸ケーブルで構成されており、編組シールド１０２は、導電性が高い銅や銅合金等で形成されている複数本のシールド素線で構成されている。
【００１７】
シールドテープ１０３は、図２に示す通り、テープ基材２０１と、テープ基材２０１の外面に設けられていると共に磁性体粉と熱溶融型接着剤とを含む磁性樹脂組成物で形成されている磁性熱溶融型接着層２０２と、テープ基材２０１の内面に設けられていると共に導電性金属で形成されている導電性金属層２０３と、を有しており、磁性熱溶融型接着層２０２がジャケット１０４と密着していると共に導電性金属層２０３が編組シールド１０２と接触している。
【００１８】
テープ基材２０１は、機械的強度が高いポリエチレンテレフタレート等で形成されており、層厚が７μｍ以上１５μｍ以下程度である。テープ基材２０１の層厚が７μｍ未満である場合は、シールドテープ１０３の機械的強度が低くなるため、シールドテープ１０３を編組シールド１０２の周囲に巻き付ける際にシールドテープ１０３が判断する虞があるからであり、テープ基材２０１の層厚が１５μｍ超である場合は、シールドテープ１０３の可撓性が低下するため、シールドテープ１０３を編組シールド１０２の周囲に巻き付けることが困難となる虞があるからである。
【００１９】
磁性熱溶融型接着層２０２は、層厚が２０μｍ以上５０μｍ以下程度である。磁性熱溶融型接着層２０２の層厚が２０μｍ未満である場合は、シールドテープ１０３とジャケット１０４との密着性を充分に確保することができない虞があるからであり、磁性熱溶融型接着層２０２の層厚が５０μｍ超である場合は、シールドテープ１０３の可撓性が低下するため、シールドテープ１０３を編組シールド１０２の周囲に巻き付けることが困難となる虞があるからである。
【００２０】
磁性熱溶融型接着層２０２を構成する磁性体粉は、例えば、日立金属株式会社製のファインメット（登録商標）で形成されている。ファインメット（登録商標）は、飽和磁束密度と透磁率が高いナノ結晶軟磁性材料であるため、ファインメット（登録商標）を採用することにより、シールドケーブル１００において、高い磁気遮蔽性能を発揮することができる。
【００２１】
磁性熱溶融型接着層２０２を構成する熱溶融型接着剤は、例えば、オレフィン系樹脂で形成されている。オレフィン系樹脂は、ハロゲン系化合物を含んでいないため、オレフィン系樹脂を採用することにより、環境負荷を軽減することができる。
【００２２】
導電性金属層２０３は、導電性が高い銅や銅合金等で形成されており、層厚が７μｍ以上１５μｍ以下程度である。導電性金属層２０３の層厚が７μｍ未満である場合は、電磁遮蔽性能を充分に発揮することができない虞があるからであり、導電性金属層２０３の層厚が１５μｍ超である場合は、シールドテープ１０３の可撓性が低下するため、シールドテープ１０３を編組シールド１０２の周囲に巻き付けることが困難となる虞があるからである。
【００２３】
ジャケット１０４は、シールドテープ１０３の周囲にフッ素樹脂等が充実押出被覆されて形成されており、その充実押出被覆時の押出熱で磁性熱溶融型接着層２０２が溶融されてジャケット１０４と融着されており、磁性熱溶融型接着層２０２がジャケット１０４と強固に密着している。
【００２４】
以上の通り、シールドケーブル１００においては、編組シールド１０２と導電性金属層２０３とで電磁遮蔽層を構成していると共に磁性熱溶融型接着層２０２で磁気遮蔽層を構成しているため、別途、シールドケーブルの端末部等にフェライトコアを装着しなくても、外来雑音の発生原因となる外部磁界と外部電磁波の両方の影響を軽減することができる。
【００２５】
なお、外来雑音の発生原因となる外部磁界と外部電磁波の両方の影響を軽減するためには、磁気遮蔽層が電磁遮蔽層の外側に存在していることが望ましい。
【００２６】
また、シールドテープ１０３は、シールドケーブル１００の可撓性や耐屈曲性を低下させ難いため、シールドテープ１０３を採用することにより、可撓性や耐屈曲性を維持しながらも電磁遮蔽性能と磁気遮蔽性能とを発揮することができる。
【００２７】
更に、シールドケーブル１００においては、全長に亘って磁性熱溶融型接着層２０２がジャケット１０４と密着しており、シールドケーブル１００の屈曲時等にシールドテープ１０３が位置ズレして隙間が生じることが無いため、電磁遮蔽性能と磁気遮蔽性能とを確実に発揮することができる。
【００２８】
また、シールドケーブル１００においては、全長に亘って導電性金属層２０３が編組シールド１０２と接触しているため、編組シールド１０２又は導電性金属層２０３をグランド端子に接続するだけで編組シールド１０２と導電性金属層２０３の両方を容易に接地することができる。
【００２９】
従って、本発明によれば、可撓性や耐屈曲性を維持しながらも電磁遮蔽性能と磁気遮蔽性能とを発揮することが可能なシールドケーブルを提供することができる。
【符号の説明】
【００３０】
１００  シールドケーブル
１０１  信号線
１０２  編組シールド
１０３  シールドテープ
１０４  ジャケット
２０１  テープ基材
２０２  磁性熱溶融型接着層
２０３  導電性金属層
【図１】
2016192365.tif 000003
【図２】
2016192365.tif 000004